(57)【要約】      （修正有）【課題】所望の映像信号に関するプロファイルおよびレベル情報を、その所望の映像信号が受信される前に取得し、事前の録画可否検出、事前の番組表のプロファイルおよびレベル情報による色分けを可能とし、ユーザにとって使い勝手の良いディジタル放送受信機が提供する。【解決手段】送信装置側において、各チャンネルの映像情報に対するプロファイルおよびレベル情報を付加データ上のサービス情報ＳＩデータに含めた多重化信号を送信し、受信装置においては、付加データを解析し、所望信号のチャンネルの映像に関するプロファイルおよびレベル情報の抽出を行う解析・抽出手段を設け、その情報を記憶し、記憶した情報をもとに情報の表示、録画可否の検出、番組表の色分けを行う。【選択図】図１
2008182732.tif 000002
【特許請求の範囲】
【請求項１】
ディジタル化され圧縮された映像信号・音声信号を入力する入力手段と、前記ディジタル化され圧縮された映像信号・音声信号の番組等の情報を示すサービス情報ＳＩデータを供給するＳＩデータ供給手段と、前記入力手段からの前記ディジタル化され圧縮された映像信号・音声信号および前記ＳＩデータ供給手段から供給される前記サービス情報ＳＩデータをともにパケット形式として多重するデータ多重手段と、前記データ多重手段の出力信号を変調して送出する送出手段とを備えたディジタル信号送信装置において、
前記ＳＩデータ供給手段は、前記ディジタル化され圧縮された映像信号・音声信号の圧縮関連情報を供給する圧縮関連情報供給手段を備え、前記サービス情報ＳＩデータの一部として前記圧縮関連情報を送出することを特徴とするディジタル信号送信装置。
【請求項２】
請求項１に記載のディジタル信号送信装置において、前記圧縮関連情報は、ＭＰＥＧ２（ＩＳＯ／ＩＥＣ１３８１８−２）で規定されたプロファイルであることを特徴とするディジタル信号送信装置。
【請求項３】
請求項１に記載のディジタル信号送信装置において、前記圧縮関連情報は、ＭＰＥＧ２（ＩＳＯ／ＩＥＣ１３８１８−２）で規定されたレベルであることを特徴とするディジタル信号送信装置。
【請求項４】
請求項１に記載のディジタル信号送信装置において、前記圧縮関連情報は、前記映像信号または音声信号のビットレートであることを特徴とするディジタル信号送信装置。
【請求項５】
請求項１に記載のディジタル信号送信装置において、前記圧縮関連情報は、前記映像信号と前記音声信号のビットレートを合わしたビットレートであることを特徴とするディジタル信号送信装置。
【請求項６】
請求項１に記載のディジタル信号送信装置において、前記圧縮関連情報は、前記映像信号のフレーム数／秒であることを特徴とするディジタル信号送信装置。
【請求項７】
請求項１に記載のディジタル信号送信装置において、前記圧縮関連情報は、前記映像信号のライン周波数であることを特徴とするディジタル信号送信装置。
【請求項８】
請求項１に記載のディジタル信号送信装置において、前記圧縮関連情報は、前記映像信号の解像度であることを特徴とするディジタル信号送信装置。
【請求項９】
ディジタル化され圧縮された映像信号・音声信号がその番組等の情報を示すサービス情報ＳＩデータとともにパケット形式で多重され変調された送信信号を受信する受信手段と、パケット化して多重された前記映像信号・音声信号と前記サービス情報ＳＩデータを分離抽出するパケット分離手段と、前記パケット分離手段から分離された前記映像信号・音声信号を復号して出力する復号手段と、前記パケット分離手段から分離された前記サービス情報ＳＩデータを解析して前記サービス情報ＳＩデータの表示制御をするシステムコントロール手段とを備えたディジタル信号受信装置において、
前記システムコントロール手段は、前記パケット分離手段からの前記サービス情報ＳＩデータに含まれる映像信号・音声信号の圧縮関連情報を解析する圧縮関連情報解析手段を備え、前記圧縮関連情報解析手段にて前記圧縮関連情報を解析することを特徴とするディジタル信号受信装置。
【請求項１０】
請求項９に記載のディジタル信号受信装置において、前記圧縮関連情報は、ＭＰＥＧ２（ＩＳＯ／ＩＥＣ１３８１８−２）で規定されたプロファイルであることを特徴とするディジタル信号受信装置。
【請求項１１】
請求項９に記載のディジタル信号受信装置において、前記圧縮関連情報は、ＭＰＥＧ２（ＩＳＯ／ＩＥＣ１３８１８−２）で規定されたレベルであることを特徴とするディジタル信号受信装置。
【請求項１２】
請求項９に記載のディジタル信号受信装置において、前記圧縮関連情報は、前記映像信号または前記音声信号のビットレートであることを特徴とするディジタル信号受信装置。
【請求項１３】
請求項９に記載のディジタル信号受信装置において、前記圧縮関連情報は、前記映像信号と前記音声信号のビットレートを合わしたビットレートであることを特徴とするディジタル放送受信装置。
【請求項１４】
請求項９に記載のディジタル信号受信装置において、前記圧縮関連情報は、前記映像信号のフレーム数／秒であることを特徴とするディジタル信号受信装置。
【請求項１５】
請求項９に記載のディジタル信号受信装置において、前記圧縮関連情報は、前記映像信号のライン周波数であることを特徴とするディジタル信号受信装置。
【請求項１６】
請求項９に記載のディジタル信号受信装置において、前記圧縮関連情報は、前記映像信号の解像度であることを特徴とするディジタル信号受信装置。
【請求項１７】
ディジタル化され圧縮された映像信号・音声信号がその番組等の情報を示すサービス情報ＳＩデータとともにパケット形式で多重され変調された送信信号を受信する受信手段と、パケット化して多重された映像信号・音声信号と前記サービス情報ＳＩデータを分離抽出するパケット分離手段と、前記パケット分離手段から分離された映像信号・音声信号を復号して出力する復号手段と、前記パケット分離手段から分離された前記サービス情報ＳＩデータを解析して前記サービス情報ＳＩデータの表示制御をするシステムコントロール手段とを備えたディジタル信号受信装置において、
前記システムコントロール手段は、前記パケット分離手段からの前記サービス情報ＳＩデータに含まれる映像信号・音声信号の圧縮関連情報を解析する圧縮関連情報解析手段と、内蔵または外部接続されたディジタル録画装置の録画に関する機器仕様を録画装置設定情報として設定し記憶する録画装置設定手段と、前記圧縮関連情報および前記録画装置設定情報をもとに所望の映像の前記録画装置に対する録画可否を検出して前記録画装置を制御する録画装置制御手段を備え、前記録画装置制御手段により番組の録画予約に連動させて前記録画装置への録画を行うことを特徴とするディジタル信号受信装置。
【請求項１８】
請求項１７に記載のディジタル信号受信装置において、前記圧縮関連情報は、ＭＰＥＧ２（ＩＳＯ／ＩＥＣ１３８１８−２）で規定されたプロファイルであることを特徴とするディジタル信号受信装置。
【請求項１９】
請求項１７に記載のディジタル信号受信装置において、前記圧縮関連情報は、ＭＰＥＧ２（ＩＳＯ／ＩＥＣ１３８１８−２）で規定されたレベルであることを特徴とするディジタル信号受信装置。
【請求項２０】
請求項１７に記載のディジタル信号受信装置において、前記圧縮関連情報は、前記映像信号または前記音声信号のビットレートであることを特徴とするディジタル信号受信装置。
【請求項２１】
請求項１７に記載のディジタル信号受信装置において、前記圧縮関連情報は、前記映像信号と前記音声信号のビットレートを合わしたビットレートであることを特徴とするディジタル信号受信装置。
【請求項２２】
請求項１７に記載のディジタル信号受信装置において、前記圧縮関連情報は、前記映像信号のフレーム数／秒であることを特徴とするディジタル信号受信装置。
【請求項２３】
請求項１７に記載のディジタル信号受信装置において、前記圧縮関連情報は、前記映像信号のライン周波数であることを特徴とするディジタル信号受信装置。
【請求項２４】
請求項１７に記載のディジタル信号受信装置において、前記圧縮関連情報は、前記映像信号の解像度であることを特徴とするディジタル信号受信装置。
【請求項２５】
請求項９、１０、１１、１２、１３、１４、１５、１６、１７、１８、１９、２０、２１、２２、２３または２４に記載のディジタル信号受信装置において、前記サービス情報ＳＩデータから所望の番組に関する情報を抽出して番組表を表示する番組表表示手段を備え、前記番組表表時手段は、前記圧縮関連情報の種類に応じて前記番組表における各番組名欄を番組ごとに番組識別表示する番組識別表示手段を含むことを特徴とするディジタル信号受信装置。
【請求項２６】
請求項２５に記載のディジタル信号受信装置において、前記番組識別表示は、前記圧縮関連情報の種類に応じて前記番組表における各番組名欄を番組ごとに色分けすることにより識別表示することを特徴とするディジタル信号受信装置。
【請求項２７】
請求項２５に記載のディジタル信号受信装置において、前記番組識別表示は、前記圧縮関連情報の種類に応じて、前記番組表における各番組名欄を番組ごとに、用意したマークを用いて識別表示することを特徴とするディジタル信号受信装置。
【発明の詳細な説明】
【技術分野】
【０００１】
本発明は、送信する番組等の情報を含む複数のサービス情報ＳＩデータを映像情報と音声情報と共に多重化して送信し受信するディジタル信号送信装置および受信装置に係わり、特に圧縮関連情報に関する前記サービス情報ＳＩデータを復元し、番組情報表示、番組録画又は番組表表示するに好適なディジタル信号送信装置および受信装置に関する。
【背景技術】
【０００２】
従来のディジタル放送システムでは、一般的に番組に関するデータは、ＭＰＥＧ２（ＩＳＯ／ＩＥＣ１３８１８−１）の規定に従いサービス情報ＳＩ（Ｓｅｒｖｉｃｅ  Ｉｎｆｏｒｍａｔｉｏｎ）データ（以下単にＳＩデータという）を付加データとして放送信号に多重化している。また放送に用いられている映像はすべてＭＰＥＧ２（ＩＳＯ／ＩＥＣ１３８１８−２）の規定に従いＭＰ＠ＭＬであるが、将来ＭＰ＠ＨＬの放送も考えられる（日経エレクトロニクス  １９９６．９．２  ｐｐ．１４９〜１６４）。これら番組データの中には番組の時間帯等の情報はあるものの各映像信号・音声信号の圧縮性能を表す圧縮関連情報についての記述はなく、圧縮関連情報を取得するためには、前記パケット分離手段により分離された所望の映像信号・音声信号に関するヘッダ部を解析し圧縮関連情報を取得する必要がある。
【０００３】
図２は従来のディジタル信号送受信装置におけるディジタル信号受信装置のブロック図である。図２において、ディジタル放送受信装置１００は、複数の映像信号・音声信号・ＳＩデータが多重化され変調された信号の入力端子１０１と、受信部１１と、パケット分離部１２と、映像信号・音声信号を復号する復号部１３と、受信した情報を解析して各部を制御するシステムコントロール部１４と、システムコントロール部１４に含まれる圧縮関連情報解析・抽出部１４１と、表示部１５と、映像信号を出力する出力端子１０２とを有して構成される。
【０００４】
受信部１１は、復調や伝送時に発生した誤りを訂正する。パケット分離部１２は、多重化された信号から所望の映像信号・音声信号・ＳＩデータの信号を選択抽出する。復号部１３は、圧縮符号化された信号を復号する。システムコントロール部１４は、前記パケット分離部１２で分離したＳＩデータを解析し、ＳＩデータの表示制御をする。特に圧縮関連情報解析・抽出部１４１は、パケット分離部１２によって分離され、復号部１３によって復号された所望の映像信号・音声信号から圧縮関連情報を解析抽出する。表示部１５は、復号部１３によって復号された所望の映像信号と前記圧縮関連情報を画面表示する。図２は、所望の映像・音声信号が受信されたのち、復号部１３からの出力映像信号・音声信号を得て初めて、前記圧縮関連情報を取得し、画面表示できることを示している。
【発明の開示】
【発明が解決しようとする課題】
【０００５】
ここで述べた、従来のディジタル信号送受信装置を用いて、複数の種類の圧縮関連情報を持つ映像信号・音声信号を送信し、受信する場合に、（１）所望のチャンネルの映像信号の圧縮関連情報を表示する、（２）前記映像信号の録画可否を検出する、あるいは（３）番組表を表示する際に圧縮関連情報によって識別表示する、といった機能をディジタル信号受信装置に設けることを考えると、前述したように、従来のディジタル信号送受信装置では、映像信号に関するヘッダ部を解析し圧縮関連情報を取得せねばならないため、所望の映像信号が受信される前にその所望の映像信号の圧縮関連情報を取得することはできないという問題がある。従って、従来ではユーザは番組が開始しないと番組の圧縮関連情報を知ることができない。
【０００６】
本発明の目的は、所望のチャンネルの映像信号・音声信号の圧縮関連情報の表示、映像の録画可否の検出、圧縮関連情報に従った番組表における番組の識別表示を実現するためのディジタル信号送信装置および受信装置を提供することにある。
【課題を解決するための手段】
【０００７】
本発明のディジタル信号受信装置は、ディジタル化され圧縮された映像信号・音声信号がその番組等の情報を示すサービス情報ＳＩデータとともにパケット形式で多重され変調された送信信号を受信する受信手段と、パケット化して多重された映像信号・音声信号と前記ＳＩデータを分離抽出するパケット分離手段と、前記パケット分離手段から分離された映像信号・音声信号を復号して出力する復号手段と、前記パケット分離手段から分離された前記ＳＩ情報を解析して前記ＳＩ情報の表示制御をするシステムコントロール手段とを備えたディジタル信号受信装置において、  前記システムコントロール手段は、前記パケット分離手段からの前記ＳＩ情報に含まれる映像信号・音声信号の圧縮関連情報を解析する圧縮関連情報解析手段を備え、前記圧縮関連情報解析手段にて前記圧縮関連情報を解析することにある。
【発明の効果】
【０００８】
本発明によれば、送信されてくる所望の映像信号に関するプロファイルおよびレベル情報、またはビットレート等の情報を、その所望の映像信号が受信される前に取得することができるため、事前の録画可否検出、事前の番組表のプロファイルおよびレベル情報による色分けまたはマーク付けが可能となり、ユーザにとって使い勝手の良いディジタル信号受信装置を提供することができる。
【発明を実施するための最良の形態】
【０００９】
以下、本発明の実施例を図面を基にして説明する。
【００１０】
図３は本発明の一実施例によるディジタル信号送信装置のブロック図である。図３において、ディジタル信号送信装置４００は、映像信号・音声信号を入力する入力端子４０１と、ＳＩデータ供給部４１と、ＳＩデータ供給部４１に含まれる圧縮関連情報供給部４１１と、データ多重部４２と、送出部４３と、前記送出手段によって送出した信号を出力する出力端子４０２とを有して構成される。
【００１１】
次に、本実施例にかかるディジタル信号送信装置４００の動作を説明する。圧縮関連情報供給部４１１は、映像信号・音声信号に関する前記圧縮関連情報を供給し、ＳＩデータ供給部４１は、番組等の情報および前記圧縮関連情報を含むＳＩをデータ多重部４２に供給する。データ多重部４２は、圧縮された映像信号・音声情報および前記ＳＩデータを多重化し、多重化したデータを送出部４３に出力する。送出部４３は、データ多重部の出力信号を変調して送出する。特に、映像信号・音声信号の圧縮関連情報を供給する圧縮関連情報供給部４１１を設けることにより、ＳＩデータとして前記圧縮関連情報を供給し、放送データとして送出することができるため、ディジタル信号受信装置側において、所望の映像を受信する前に、その所望の映像信号に関する圧縮関連情報を取得することが可能となる。
【００１２】
図１は本発明の第１実施例のディジタル信号受信装置のブロック図である。この実施例は、圧縮関連情報解析・抽出部１４２によって抽出される圧縮関連情報を画面表示する点に特徴を有しており、図２に示した従来のディジタル信号受信装置において同じ手段は同一の符号で示されている。
【００１３】
図１において、圧縮関連情報解析・抽出部１４２は、パケット分離部１２によって分離したＳＩデータから圧縮関連情報を解析抽出するものであり、その他は図２の従来のブロック図と同じである。
【００１４】
次に、本実施例にかかるディジタル信号受信装置１００の動作を説明する。ディジタル放送において、映像Ａを用いた番組Ａ、映像Ｂを用いた番組Ｂが将来放送される予定がある場合、映像ＡがＭＰ＠ＭＬであり、映像ＢがＭＰ＠ＨＬであることが記述されているＳＩデータを含むビットストリームを受信して、前記パケット分離部１２で分離したＳＩデータからプロファイルおよびレベル情報を解析抽出し、その情報を画面表示する動作例を説明する。
【００１５】
複数の情報が多重化されているディジタル信号が前記入力端子１０１に入力され、前記受信部１１でディジタル信号を復調する。前記パケット分離部１２は、所望のＳＩデータを分離抽出する。前記圧縮関連情報解析・抽出部１４２は、分離抽出された前記ＳＩデータから所望の映像に対するプロファイルおよびレベル情報を解析抽出し、映像ＡがＭＰ＠ＭＬであり、映像ＢがＭＰ＠ＨＬであるという情報を得る。前記表示部１５は、復号部１３の出力映像および前記プロファイルおよびレベル情報を画面表示する。この様にして、番組Ａ、番組Ｂの映像信号に関するプロファイルおよびレベル情報を記述したＳＩを取得した場合において、それぞれの番組に対するプロファイルおよびレベル情報を表示する。図４は、番組Ａ、番組Ｂについてのプロファイルおよびレベル情報を表示した一例である。表示装置５００上に、番組名欄５０１と、プロファイルおよびレベル情報欄を表示している。
【００１６】
図４に示したように、ＳＩデータからプロファイルおよびレベル情報を取得することができるため、所望の映像信号を受信する前に、すなわち将来放送される番組の映像に関するプロファイルおよびレベル情報を知ることができる。
【００１７】
図５は本発明の第２実施例のディジタル信号受信装置のブロック図である。この実施例は、前記圧縮関連情報解析・抽出部１４によって抽出された圧縮関連情報を用いて、事前に所望の映像の録画可否の検出を行う点に特徴を有しており、図１に示したディジタル放送受信装置において同じ手段は同一の符号で示されている。
【００１８】
図５において、ユーザ入力端子１０３は、ユーザからの入力を受け付ける入力端子である。録画装置設定部１４３は、内蔵または外部接続されているディジタル映像録画装置の録画に関する機器仕様を録画装置設定情報として設定して記憶し、録画装置制御部１４４は、圧縮関連情報および録画装置設定情報から所望の映像の録画可否を検出し、録画可否結果をもとに前記録画装置を制御する。ディジタル録画装置は録画可能な伝送レートが機器によって異なる可能性があるため、プロファイルやレベルによっては録画不可能な場合がある。
【００１９】
従って接続している録画装置によって録画装置制御部１４４が録画可否を検出し、ユーザに告知する。従って録画予約等を行う場合にはその可否を判断することができる。表示部２１は、復号部１３で復号された映像信号と録画装置制御部１４４で検出された録画可否検出結果を画面表示する。制御信号出力端子１０４は、録画装置の制御信号を出力する端子である。その他は図１の実施例と同じである。
【００２０】
次に、本実施例にかかるディジタル信号受信装置１００の動作を説明する。ディジタル放送において、映像Ａを用いた番組Ａ、映像Ｂを用いた番組Ｂが将来放送される予定がある場合、映像ＡがＭＰ＠ＭＬであり、映像ＢがＭＰ＠ＨＬであることが記述されているＳＩを付加データとして含むビットストリームを受信して、前記パケット分離部１２で分離したＳＩデータによってプロファイルおよびレベル情報を解析抽出し、録画装置の制御し、録画可否検出結果を表示する動作例を説明する。
【００２１】
次に、前述した図１に示した実施例と異なる点について、その動作を説明する。まず、外部にＭＰ＠ＭＬのみに対応したディジタル映像録画装置を接続した場合を考える。事前にユーザはユーザ入力端子１０３を通し、前記録画装置がＭＰ＠ＭＬ対応録画装置であるという設定操作を行っていることとする。録画装置設定部１４３は、前記ユーザ設定操作をもとに、「前記録画装置がＭＰ＠ＭＬ対応録画装置である」と設定して記憶する。録画装置制御部１４４は、録画装置設定部１４３によって記憶されている「前記録画装置がＭＰ＠ＭＬ対応録画装置である」といる前記録画装置設定情報および映像Ａ、映像Ｂに関する前記圧縮関連情報をもとに、映像Ａは前記録画装置に対し録画可能であるが、映像Ｂは前記録画装置に対し録画不可能であるということを検出する。
【００２２】
さらに、録画装置制御部１４４は、ユーザ入力端子１０３を通し、ユーザから番組Ａの番組録画予約の設定操作を受けた場合は、録画可否検出結果をもとに番組Ａを予約時刻に録画されるように前記録画装置を制御し、録画できるということを表示部２１が表示する。ユーザから番組Ｂの番組録画予約の設定操作を受けた場合は、録画可否検出結果をもとに番組Ｂは録画できないことを表示部２１が表示する。
【００２３】
この様にして、番組Ａ、番組Ｂの映像信号に関するプロファイルおよびレベル情報を記述したＳＩデータを取得した場合において、それぞれの映像信号に対して録画装置が制御される。
【００２４】
次に、外部にＭＰ＠ＭＬおよびＭＰ＠ＨＬに対応したディジタル映像録画装置を接続した場合を考える。
【００２５】
事前にユーザはユーザ入力端子１０３を通し、前記録画装置がＭＰ＠ＭＬおよびＭＰ＠ＨＬ対応録画装置であるという設定操作を行っていることとする。録画装置設定部１４３は、前記ユーザ設定操作をもとに、「前記録画装置がＭＰ＠ＭＬおよびＭＰ＠ＨＬ対応録画装置である」と設定し記憶する。録画装置制御部１４４は、録画装置設定部１４３によって記憶されている「前記録画装置がＭＰ＠ＭＬおよびＭＰ＠ＨＬ対応録画装置である」という前記録画装置設定情報および映像Ａ、映像Ｂに関する前記圧縮関連情報をもとに、映像Ａ、映像Ｂはともに前記録画装置に対し録画可能であるということを検出する。
【００２６】
さらに、録画装置制御部１４４は、ユーザ入力端子１０３を通し、ユーザから映像Ａの番組録画予約の設定操作を受けた場合は、録画可否検出結果をもとに番組Ａを予約時刻に録画されるように前記録画装置を制御し、録画可能ということを表示部２１が表示する。番組Ｂの番組録画予約の場合も同様に前記録画装置を制御し、録画可能を表示する。
【００２７】
この様にして、番組Ａ、番組Ｂの映像信号に関するプロファイルおよびレベル情報を記述したＳＩを取得した場合において、それぞれの映像に対して録画装置が制御される。
【００２８】
以上の様に、ＳＩデータからプロファイルおよびレベル情報を取得することができるため、録画可否を知りたい映像信号を受信する前に、すなわち将来放送される番組の映像の録画可否情報を知ることができ、番組録画予約において映像に対応した録画装置の制御が可能となる。
【００２９】
さらに、図５のブロック図に示したディジタル信号受信装置において、映像信号または音声信号のビットレートを圧縮関連情報として用い、録画可否を検出する場合のディジタル信号受信装置の動作を前述と異なる点のみ説明する。
【００３０】
本実施例では、圧縮関連情報解析・抽出部１４２がＳＩデータから映像信号および音声信号のビットレートを圧縮関連情報として解析抽出する。また、ユーザ設定操作をもとに、録画装置設定部１４３において、内蔵または外部接続されているディジタル映像録画装置が「ある一定のビットレート以下の映像のみ録画可能である録画装置」であるいう録画装置設定情報を設定する。前記圧縮関連情報と前記録画装置設定情報をもとに、録画装置制御部１４４が前記録画装置を制御する。
【００３１】
さらに、図５のブロック図に示したディジタル放送受信装置において、映像信号・音声信号の合計のビットレート、映像信号のフレーム数／秒、映像信号のライン周波数、あるいは映像信号の解像度を圧縮関連情報として用い、録画可否を検出する場合のディジタル信号受信装置は、前記圧縮関連情報、および内蔵または外部接続されているディジタル映像録画装置の前記圧縮関連情報に関する録画装置設定情報をもとに、録画装置制御部１４４が前記録画装置を制御することで録画可否検出を行う。
【００３２】
図６は本発明の第３実施例によるディジタル信号受信装置のブロック図である。この実施例は、圧縮関連情報を前記圧縮関連情報解析・抽出部１４によって抽出し、番組表における番組名欄を番組ごとに前記圧縮関連情報にしたがって、色分けすることで識別表示する点に特徴を有しており、図１に示したディジタル信号受信装置において同じ手段は同一の符号で示されている。
【００３３】
図６において、番組表表示部３１は、復号部１３で復号された映像信号と前記色分けが可能な番組表を画面表示する。その他は図１に示した実施例と同じである。
【００３４】
次に、本実施例にかかるディジタル信号受信装置１００の動作を説明する。ディジタル放送において、映像Ａを用いた番組Ａ、映像Ｂを用いた番組Ｂが将来放送される予定がある場合、映像ＡがＭＰ＠ＭＬであり、映像ＢがＭＰ＠ＨＬであることが記述されているＳＩを付加データとして含むビットストリームを受信して、前記パケット分離部１２からの付加データによってプロファイルおよびレベル情報を解析抽出し、録画可否検出結果を表示する動作例を説明する。
【００３５】
次に、前述した図１に示す実施例と異なる点について、その動作を説明する。前記番組表表示部３１は、前記圧縮関連情報をもとに、番組表における番組Ａに対する番組名欄を、あらかじめ指定しておいたＭＰ＠ＭＬに対する所定の色に配色し、番組Ｂに対する番組名欄を、あらかじめ指定しておいたＭＰ＠ＨＬに対する所定の色に配色し表示する。この様にして、ＭＰ＠ＭＬおよびＭＰ＠ＨＬの映像信号に関するプロファイルおよびレベル情報を記述したＳＩを取得した場合には、番組表におけるそれぞれの映像に対する番組名欄が所定の色に配色し画面表示する。
【００３６】
図７は、番組表表示例を示したものである。表示装置６００上に、チャンネル番号欄６０１と、番組名欄６０２を表示しており、番組名欄６０２ａは番組Ａに対する番組名欄であり、番組名欄６０２ｂは番組Ｂに対する番組名欄を表している。図７に示すように、プロファイルおよびレベル情報にしたがって番組ごとに色分け表示することにより、番組表において視覚的にプロファイルおよびレベル情報が識別可能となる。
【００３７】
この様に、ＳＩデータからプロファイルおよびレベル情報を取得することができるため、番組表に表示する番組に対する映像信号を受信する前に、すなわち将来放送される番組の映像に関するプロファイルおよびレベル情報をユーザが視覚的にわかりやすく得ることができる。
【００３８】
さらに、図６のブロック図に示したディジタル放送受信装置において、映像信号または音声信号のビットレート、映像信号・音声信号の合計のビットレート、映像信号のフレーム数／秒、映像信号のライン周波数、あるいは映像信号の解像度を圧縮関連情報として用いる場合のディジタル信号受信装置も、前記実施例と同様の処理を行って、番組表における番組名欄を番組ごとに前記圧縮関連情報にしたがい、色分けすることで識別表示する。
【００３９】
図８は本発明の第４実施例によるディジタル信号受信装置のブロック図である。この実施例は、圧縮関連情報を前記圧縮関連情報解析・抽出部１４によって抽出し、番組表における番組名欄を番組ごとに前記圧縮関連情報にしたがって、マークを用いて識別表示する点に特徴を有しており、図１に示したディジタル信号受信装置において同じ手段は同一の符号で示されている。
【００４０】
図８において、番組表表示部３２は、復号部１３で復号された映像信号と前記マークによる表示が可能な番組表を画面表示する。その他は図３に示した実施例と同じである。
【００４１】
次に、本実施例にかかるディジタル信号受信装置１００の動作を説明する。ディジタル放送において、映像Ａを用いた番組Ａ、映像Ｂを用いた番組Ｂが将来放送される予定がある場合、映像ＡがＭＰ＠ＭＬであり、映像ＢがＭＰ＠ＨＬであることが記述されているＳＩを付加データとして含むビットストリームを受信して、前記パケット分離部１２からの付加データによってプロファイルおよびレベル情報を解析抽出し、録画可否検出結果を表示する動作例を説明する。
【００４２】
次に、前述した図３に示す実施例と異なる点についてその動作を説明する。前記番組表表示部３２は、前記圧縮関連情報をもとに、番組表における番組Ａに対する番組名欄に、あらかじめ指定しておいたＭＰ＠ＭＬに対するマークを表示し、番組Ｂに対する番組名欄に、あらかじめ指定しておいたＭＰ＠ＨＬに対するマークを表示する。この様にして、ＭＰ＠ＭＬおよびＭＰ＠ＨＬの映像信号に関するプロファイルおよびレベル情報を記述したＳＩを取得した場合には、番組表におけるそれぞれの映像に対する番組名欄に所定のマークを画面表示する。
【００４３】
図９は、番組表表示例を示したものである。表示装置７００上に、チャンネル番号欄７０１と、番組名欄７０２を表示しており、番組名欄７０２ａは番組Ａに対する番組名欄であり、番組名欄７０２ｂは番組Ｂに対する番組名欄を表している。図９では、マーク８０１ａは番組Ａに対応し表示したマークであり、マーク８０１ｂは番組Ｂに対応し表示したマークである。図９に示すように、プロファイルおよびレベル情報にしたがって番組ごとにマークを表示することにより、番組表において視覚的にプロファイルおよびレベル情報が識別可能となる。
【００４４】
この様に、ＳＩデータからプロファイルおよびレベル情報を取得することができるため、番組表に表示する番組に対する映像信号を受信する前に、すなわち将来放送される番組の映像に関するプロファイルおよびレベル情報をユーザが視覚的にわかりやすく得ることができる。
【００４５】
さらに、図８のブロック図に示したディジタル信号受信装置において、映像信号または音声信号のビットレート、映像信号・音声信号の合計のビットレート、映像信号のフレーム数／秒、映像信号のライン周波数、あるいは映像信号の解像度を圧縮関連情報として用いる場合のディジタル放送受信装置も、前記実施例と同様の処理を行って、番組表における番組名欄を番組ごとに前記圧縮関連情報にしたがい、マークを用いて識別表示する。
【図面の簡単な説明】
【００４６】
【図１】本発明の第１実施例のディジタル信号受信装置のブロック図である。
【図２】従来のディジタル受信機のブロック図である。
【図３】本発明一実施例のディジタル信号送信装置のブロック図である。
【図４】番組に対するプロファイルおよびレベル情報表示例を示す図である。
【図５】本発明の第２実施例のディジタル信号受信装置のブロック図である。
【図６】本発明の第３実施例のディジタル放送受信装置のブロック図である。
【図７】プロファイルおよびレベル情報により番組名欄を色分け識別した番組表表示例を示す図である。
【図８】本発明の第４実施例のディジタル放送受信装置のブロック図である。
【図９】プロファイルおよびレベル情報により番組名欄をマーク付け識別した番組表表示例を示す図である。
【符号の説明】
【００４７】
１１  受信部
１２  パケット分離部
１３  復号部
１４  システムコントロール部
１５  表示部
４１  ＳＩデータ供給部
４２  データ多重部
４３  送出部
１００  ディジタル信号受信装置
１０１  入力端子
１０２  出力端子
１０３  入力端子
１０４  出力端子
１４２  圧縮関連情報解析・抽出部
１４３  録画装置設定部
１４４  録画装置制御部
４００  ディジタル信号送信装置
４０１  入力端子
４０２  出力端子
４１１  圧縮関連情報供給部
【図１】
2008182732.tif 000003
【図２】
2008182732.tif 000004
【図３】
2008182732.tif 000005
【図４】
2008182732.tif 000006
【図５】
2008182732.tif 000007
【図６】
2008182732.tif 000008
【図７】
2008182732.tif 000009
【図８】
2008182732.tif 000010
【図９】
2008182732.tif 000011
【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
圧縮されたデジタル映像信号と将来入力されるデジタル映像信号の解像度に関する情報を含むＳＩデータとが多重化された信号が入力される入力手段と、
前記入力手段に入力された信号から前記ＳＩデータを分離する分離手段と、
前記分離手段により分離された前記ＳＩデータを解析する解析部と、
前記解析部が解析したＳＩデータを用いて番組表を表示する映像信号を出力する映像出力手段と、を備え、
前記映像出力手段は、前記解析部が解析した前記デジタル映像の解像度に関する情報を用いて前記番組表における番組ごとに前記デジタル映像信号の解像度に関する表示をする映像信号を出力することを特徴とする受信装置。
【請求項２】
請求項１に記載の受信装置において、
前記デジタル映像信号の解像度に関する表示は、前記デジタル映像信号が高解像度または標準解像度を表す表示であることを特徴とする受信装置。
【請求項３】
デジタル映像信号を受信する受信方法であって、
圧縮されたデジタル映像信号と将来入力されるデジタル映像信号の解像度に関する情報を含むＳＩデータとが多重化された信号が入力される入力ステップと、
前記入力された信号から前記ＳＩデータを分離する分離ステップと、
前記分離された前記ＳＩデータを解析する解析ステップと、
前記解析したＳＩデータを用いて番組表を表示する映像信号を出力する映像出力ステップと、を有し、
前記解析された前記デジタル映像の解像度に関する情報を用いて前記番組表における番組ごとに前記デジタル映像信号の解像度に関する表示をする映像信号を出力することを特徴とする受信方法。